(57)【要約】【課題】交差点の地名を日本語表記とローマ字表記とによって表示したうえで、さらに位置情報コードを付加することにより、交差点の位置を明確に特定でき、事故や事件が発生したときの位置確認を明確かつ速やかに行える交差点の位置表示体を提供する。【解決手段】位置表示体Ｐの表示面５には、交差点の地名を日本語表記で表示する主表示６と、交差点の地名をローマ字表記によって表示する補助表示７と、交差点の位置情報を英文字および数字の組み合わせとして表示するコード表示８とを有する。コード表示８は、道路名コード１１と、交差点の位置コード１２と、交差点の方位コード１３とからなる。道路名コード１１は、交差点が所属する道路名を意味する英文字で構成する。位置コード１２は、先の道路における基点から数えた交差点の位置を意味する数字で構成する。方位コード１３は、交差点における東西南北を意味する英文字で構成する。【選択図】図１
2007032094.tif 000002
【特許請求の範囲】
【請求項１】
位置表示体（Ｐ）の表示面（５）に、交差点の地名を日本語表記で表示する主表示（６）と、交差点の地名をローマ字表記によって表示する補助表示（７）と、交差点の位置情報を英文字および数字の組み合わせとして表示するコード表示（８）とが表示してあることを特徴とする交差点の位置表示体。
【請求項２】
コード表示（８）が、隣接配置される道路名コード（１１）と、交差点の位置コード（１２）とを含み、
道路名コード（１１）が、交差点の所属する道路の国道、道府県道、市町村道の区分を表示する英文字で表示されており、
交差点の位置コード（１２）が、先の道路における基点から数えた交差点の位置を意味する数字で構成されている請求項１記載の交差点の位置表示体。
【請求項３】
コード表示（８）が、道路名コード（１１）と、位置コード（１２）と、交差点における方位を表わす方位コード（１３）とを含み、
方位コード（１３）が、東西南北を意味する英文字で構成されており、
隣接する道路名コード（１１）と、交差点の位置コード（１２）と、方位コード（１３）との間に、各コード（１１）〜（１３）を一定距離だけ離すための分離記号（１４）が配されている請求項１または２記載の交差点の位置表示体。
【請求項４】
主表示（６）、補助表示（７）、コード表示（８）のうち少なくともコード表示（８）は、発光表示が可能な一群のＬＥＤ（２０）で構成されている請求項１または２または３記載の交差点の位置表示体。
【発明の詳細な説明】
【技術分野】
【０００１】
本発明は、交差点の位置を表示するための表示体に関する。
【背景技術】
【０００２】
本発明の位置表示体に関して、交差点の地名を漢字とローマ字で表示することは、従来から実施されていて公知である。その場合の表示パネルは、信号機を支持する支持腕などに固定してあって、難読な漢字であってもローマ字の表示を読み取ることによって交差点の地名を知って、地図との照合で位置を特定できた。漢字文化圏以外の国からきた人であっても、ローマ字表示を読み取ることで交差点の地名を知ることができる。
【０００３】
本発明の位置表示体に関して、交差点の位置をコードで表示することは、特許文献１に公知である。そこでは、交差点の名称を南北位置と東西位置を意味する２組の小数で表示し、さらに、各小数に東西方向と南北方向の相対位置を意味する不等記号、および上下不等記号を付加して、交差点の位置を特定できるようにしている。特許文献２には、例えば国道１号線を印する道路記号（Ｒ１）と、道路基点からの距離（１２３km）とを表示パネルに表示することが開示されている。
【０００４】
【特許文献１】特開平６−５２４９０号公報（段落番号０００４、図２）
【特許文献２】実開昭６１−５５７９７号公報（第３頁５〜１１行、図１）
【発明の開示】
【発明が解決しようとする課題】
【０００５】
特許文献１の表示パネルでは、交差点の名称を例えば「7.５−2.５」と小数で表示し、さらに小数表示に「＜・＞」、および「Ｖ・Λ」などの不等記号を付加するので、コードの意味を完全に理解しておく必要があって難解である。さらに、２組の小数表示は、走行しているドライバーにとって読み取りにくいうえ混同しやすい。全国の交差点を小数表示で個別に表示するには、整数部分か、小数点以下の部分の桁数を増やす必要があり、そうすると難解さや読み取りにくさが更に増すことになる。
【０００６】
本発明の目的は、交差点の地名を日本語表記とローマ字表記とによって表示したうえで、さらに位置情報コードを付加して、交差点の位置を誰もが明確に特定できる交差点の位置表示体を提供することにある。
【０００７】
本発明の目的は、日本語表記の識字が困難な外国人ドライバーや、現地の地理に不案内な旅行者でも、表示体に表示された位置情報コードを読み取ることで交差点の位置が特定できるし、事故や犯罪が発生した場合にも位置情報コードを通報することにより、事故や犯罪の発生位置を特定し、速やかに対応できる交差点の位置表示体を提供することにある。
【課題を解決するための手段】
【０００８】
本発明の交差点の位置表示体は、位置表示体Ｐの表示面５に、交差点の地名を日本語表記で表示する主表示６と、交差点の地名をローマ字表記によって表示する補助表示７と、交差点の位置情報を英文字および数字の組み合わせとして表示するコード表示８とが表示してあることを特徴とする。
【０００９】
コード表示８は、隣接配置される道路名コード１１と、交差点の位置コード１２とを含む。道路名コード１１は、交差点の所属する道路の国道、道府県道、市町村道の区分を表示する英文字で表示する。交差点の位置コード１２は、先の道路における基点から数えた交差点の位置を意味する数字で構成する。
【００１０】
コード表示８は、隣接配置される道路名コード１１と、位置コード１２と、交差点における方位を表わす方位コード１３とを含む。このうち、方位コード１３は、東西南北を意味する英文字で構成し、隣接する道路名コード１１と、交差点の位置コード１２と、方位コード１３との間には、各コード１１〜１３を一定距離だけ離すための分離記号１４を配することができる。
【００１１】
主表示６、補助表示７、コード表示８のうち少なくともコード表示８は、発光表示が可能な一群のＬＥＤ２０で構成することができる。
【発明の効果】
【００１２】
本発明では、位置表示体Ｐの表示面５に、日本語表記からなる主表示６と、ローマ字表記からなる補助表示７と、交差点の位置情報をコード化したコード表示８とを設けてある。したがって、日本語表記の主表示６の識字が困難な外国人ドライバーや、地理に不案内な旅行者であっても、コード表示８を読み取ることで交差点の位置を特定し、現在位置を知ることができる。さらに、事故や犯罪が発生した場合には、コード表示８を通報することにより、警察の通信指令センターにおける現場特定が明確に行え、例えば救急車やパトロールカーの現場への派遣などの対応が速やかに行える。コード表示８は、交通管制のための位置表示や、交通取り締りや緊急配備時の位置情報としても利用できる。コード表示８は、カーナビゲーションにおける位置案内や、交差点の近傍に位置する施設の位置を特定し案内することにも利用できるうえ、交通管制や規制等の交通管理業務に効果的に活用することができる。
【００１３】
交差点の所属する道路の国道、道府県道、市町村道の区分を意味する英文字の道路名コード１１と、先の道路における基点から数えた交差点の位置を意味する数字の位置コード１２とを含んでコード表示８が構成してあると、小数や不等号の組み合わせで構成した従来のコード表示に比べて、コード表示８を単純で見誤ることがなく、しかも誰もが理解できる表示とすることができる。コード表示８の文字構成が単純な分だけ、走行中のドライバーによる識字を確実化できるうえ、複数の交差点の道路名コード１１や位置コード１２を確認することで進路の適否や、予定していた移動コースと現在のコースとの適否を判断できる。位置コード１２を認識する事により、進路の進行確認が可能であり目的交差点等の位置までの予測が可能となる。
【００１４】
道路名コード１１および位置コード１２に加えて、交差点における方位を表わす方位コード１３を含むコード表示８によれば、個々の交差点における磁針方位を特定できるので、事故や事件の通報を行う場合に、ひき逃げ車両の移動方向や、事件関係者の移動方向などを正確に通報できる。運転中のドライバーは、方位コード１３を見ることによって自分の進行方向の概略を知ることができる。道路名コード１１と、位置コード１２と、方位コード１３との間に分離記号１４が配置してあると、コード表示８を読み取る際の文字列の混同や、読み間違いを防止して的確に文字表記を認識できる。
【００１５】
主表示６、補助表示７、コード表示８のうち少なくともコード表示８が、発光表示が可能な一群のＬＥＤ２０で構成されていると、夜間におけるコード表示８の視認性を向上して、交差点の位置表示がさらに明確に行える。交差点から離れた位置からでもコード表示８を視認できるので、事故や事件の位置の通報がより多くの人によって容易に行うことができる。主表示６、補助表示７、コード表示８が、発光表示の可能な一群のＬＥＤ２０で構成してある場合には、各表示を相互に参照することによって、さらに正確な交差点の位置情報を伝えることができる。
【発明を実施するための最良の形態】
【００１６】
図１および図２は本発明に係る位置表示体の実施例を示す。図１および図２において符号１は信号機、２は信号機１を高所で支持するための支柱であり、支柱２の上部に固定した支持腕３によって信号機１が水平に支持されている。図２に示すように、自動車の走行レーンと対向する交差点の四隅には、それぞれ信号機１を配置してあり、ドライバーは自分の走行レーンと対向する信号機１の信号表示に従って交差点を通過し、あるいは停止線で停止する。
【００１７】
各信号機１を支持する支持腕３の中途部を利用して、交差点の所在位置を表示するための位置表示体Ｐを取り付ける。位置表示体Ｐは、表面が塗装仕上げされた横長四角形状の鋼板製のパネルからなり、その片面の表示面５に、交差点の地名を日本語表記で表示した主表示６と、交差点の地名をローマ字表記によって表示した補助表示７と、交差点の位置情報を英文字および数字の組み合わせとして表示したコード表示８とが表記されている。
【００１８】
図１に示す位置表示体Ｐにおいては、主表示６が例えば「平野３丁目」と表示され、補助表示が「Ｈｉｒａｎｏ−３」と表示され、コード表示８が「Ｍ−０１３−Ｎ」と表示されている。主表示６、補助表示７、およびコード表示８は、それぞれ表示面に印刷を施して形成するが、再帰反射性の塗料を使用して印刷することにより、夜間の視認性を向上することができる。
【００１９】
コード表示８は、向かって左側から順に道路名コード１１と、交差点の位置コード１２と、方位コード１３とで構成する。道路名コード１１は、交差点の所属する道路の国道、道府県道、市町村道の区分を意味する英文字で構成する。図１の例でいえば、平野３丁目は大阪市の御堂筋（国道１７６号と国道２５号）に所属しているので、その英文字表記の頭文字Ｍを道路名コード１１としている。なお、図２に示す信号機の配置は一般的な交差点の場合を示しているが、御堂筋は南行きの一方通行であるから、北隅の信号機は逆向きに設置することになる。
【００２０】
交差点の位置コード１２は、御堂筋の北端を基点にして、平野３丁目の交差点が基点から数えて何番目に位置しているかを数字で表わしている。方位コード１３は、平野３丁目の交差点の東西南北を意味する英文字で構成されており、北がＮ、南がＳ、東がＥ、西がＷと表示される。横一列に表示された道路名コード１１と、交差点の位置コード１２と、交差点における方位コード１３との間には、それぞれ各コード１１〜１３を一定距離ずつ離すための分離記号１４となるハイフンが配置してある。道路の向きが東西南北と一致しない交差点においては、Ｎ、Ｓ、Ｅ、Ｗの記号の少なくとも二つを組み合わせて、道路の向きを表示するとよい。
【００２１】
上記構成の位置表示体Ｐによれば、日本語で表記された主表示６の識字が困難な外国人ドライバーであっても、表示面５に表示されたコード表示８を読み取ることにより交差点の位置を特定し、自分の現在位置を知ることができる。事故や犯罪が発生した場合には、コード表示８を通報することにより、通報を受けた側、すなわち警察の通信指令センターにおける現場の特定を明確に行え、例えばパトロールカーや救急車の現場への派遣などの対応を速やかに行える。
【００２２】
図３は位置表示体Ｐの別実施例を示す。そこでは、主表示６、補助表示７、およびコード表示８のうち、コード表示８を発光表示が可能な一群のＬＥＤ２０で構成し、夜間におけるコード表示８の視認性を向上して、交差点の位置表示をさらに明確に行えるようにした。一群のＬＥＤ２０で構成したコード表示８は、必要に応じて点滅表示することができる。さらに、主表示６、補助表示７、およびコード表示８の全てを一群のＬＥＤ２０で構成してもよく、その場合のＬＥＤ２０の発光色は各表示６〜８ごとに異なっていてもよく、一色に統一してあってもよい。
【００２３】
図３では、コード表示８を字画に沿って配置した一群のＬＥＤ２０で構成したが、ＬＥＤ２０を縦横のマトリクス状に配置して、コード表示８を点灯したＬＥＤ２０で表現することができる。その場合には、縦横のマトリクスによって任意の文字表示を行えるので、例えば「この先事故発生」のような事故情報とコード表示８とを交互に表示し、あるいは渋滞情報などを表示することができる。
【００２４】
コード表示８を構成する道路名コード１１は、例えばＫＡＳなどの複数個の英文字で表記することができ、さらにＫＡ６６などの英文字とアラビア数字の組み合わせで構成することができる。同様に位置コード１２は、英文字とアラビア数字の組み合わせで構成することができる。
【００２５】
弱者感応式の信号機においては、交通弱者が携帯する送信機から発信される電波を受信して、道路横断用の押しボタンが押されたのと同様の処理を行って信号を切り換えるが、位置表示体Ｐに受信アンテナとスピーカーとを組み込んでおけば、交通弱者の送信機から発信される電波を受信したとき、交差点の位置情報をスピーカーで音声によって案内することができる。ＧＰＳを利用したナビゲータにおいて、コード表示８を入力するだけで目的地や、中間の通過位置を特定して、自動車の移動経路の決定に利用することも可能であろう。
【００２６】
上記の実施例以外に、分離記号１４としては「・」、「／」、「，」や空白などを適用できる。位置表示体Ｐは信号機１用の支持腕３に取り付ける必要はなく、信号機１用の支柱２や、電柱などに取り付けることができる。位置表示体Ｐは信号機１の上下いずれかに配置してもよい。主表示６はひらがなやカタカナで表示することができる。位置表示体Ｐは鋼板製のパネルで構成する以外に、信号機１の本体ケースと同様に、鋼板やアルミニウム板材で構成した筐体として形成することができる。もちろん必要があれば、プラスチック成形品で形成することができる。本発明は交差点標識・標柱のみでなく歩行者信号標柱にも同様に表示することで、携帯電話を保有している者にも位置情報を提供することが可能であり、ＧＰＳ案内や通信会社が保有する各種ガイド情報にも応用でき、汎用性の高い情報管理システムへの統一情報を提供することができる。
【図面の簡単な説明】
【００２７】
【図１】交差点の位置表示体の使用状態を示す斜視図
【図２】交差点の位置表示体の使用状態を示す一部破断正面図
【図３】交差点の位置表示体の構成部品を分解した一部破断正面図
【符号の説明】
【００２８】
５  表示面
６  主表示
７  補助表示
８  コード表示
１１  道路名コード
１２  位置コード
１３  方位コード
【図１】
2007032094.tif 000003
【図２】
2007032094.tif 000004
【図３】
2007032094.tif 000005